【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
第１の真っ直ぐなチャネルを骨内に形成するように構成されたパンチおよび第２の真っ直ぐなチャネルを骨内に形成するように構成されたドリルを備える有用な関節鏡下骨チャネル形成および縫合システムであって、前記第２の真っ直ぐなチャネルは前記第１の真っ直ぐなチャネルと交差しておらず、前記システムは、
前記第１の真っ直ぐなチャネルに挿入可能であるように構成された湾曲した骨穿刺針と、
前記第１の真っ直ぐなチャネルと前記第２の真っ直ぐなチャネルとの間に湾曲した接合部を形成するために前記湾曲した針を操作するように構成された湾曲針駆動組立体と、
縫合スネアワイヤーを前記骨内の前記第２の真っ直ぐなチャネルを経由して縫合スネアワイヤーピックアップ位置に挿入するように構成された縫合スネアワイヤー組立体と、
前記湾曲針駆動組立体および前記縫合スネアワイヤー組立体を連携動作で操作するように機能して、前記縫合スネアワイヤーが前記縫合糸ピックアップ位置から前記接合部を経て前記第１の真っ直ぐなチャネルを通って引っ張られる、連携多機能駆動組立体と、
を含む、関節鏡下骨チャネル形成および縫合システム。
【請求項２】
前記連携多機能駆動組立体が、繰り返された手動作動に応答して自動的に作動する、
請求項１に記載の関節鏡下骨チャネル形成および縫合システム。
【請求項３】
前記連携多機能駆動組立体が、前記湾曲した針が前記第１の真っ直ぐなチャネルへの挿入を開始された後であるが、前記湾曲した針が前記接合部を通して前記縫合糸を引っ張り始める前に、前記湾曲した針を引っ込めるために選択可能に機能するオーバーライド部分組立体を含む、請求項１または請求項２に記載の関節鏡下骨チャネル形成および縫合システム。
【請求項４】
関節鏡下外科装置と、
作業チャネル組立体と、
スネアワイヤーカートリッジ組立体と、
湾曲したシャフト組立体と、
を含む、請求項１〜３のいずれか一項に記載の関節鏡下骨チャネル形成および縫合システム。
【請求項５】
骨パンチ組立体、
クイック連結要素、
ドリルビット組立体、および
手動オーバーライドギアシフト装置
のうちの少なくとも１つを含む、請求項１〜４のいずれか一項に記載の関節鏡下骨チャネル形成および縫合システム。
【請求項６】
前記作業チャネル組立体が、
中空細長管と、
作業チャネルハブと、
前記作業チャネルハブがその中に少なくとも部分的に据え付けられているラック画定中間要素と、
ストッパー要素と、
を含み、
前記中空細長管は、縦軸に沿って延在して、傾斜した前方縁と前記作業チャネルハブ内に形成されたソケット内部に固定して取り付けられた後方端部を有する、請求項４または請求項５に記載の関節鏡下骨チャネル形成および縫合システム。
【請求項７】
前記作業チャネルハブが、
横方向穴を有する前方ソケット画定部と、
前記前方ソケット画定部および軸方向中心穴の後方に配置された主円筒部分と、
後端部に配置されたフランジと、
を含む、一体的に形成された要素である、請求項６に記載の関節鏡下骨チャネル形成および縫合システム。
【請求項８】
前記ラック画定中間要素が、
縦軸に沿って延在する軸方向穴を備えて形成された主円筒部分と、
線形ラチェットギアラックと、
を含む、請求項６または請求項７に記載の関節鏡下骨チャネル形成および縫合システム。
【請求項９】
前記スネアワイヤーカートリッジ組立体が、
主ハウジング部と、
二次ハウジング部と、
前記主および二次ハウジング部に取り付けられる、細長中空シャフトと、
前記細長中空シャフトの上に取り付けられた圧縮ばねと、
前記主ハウジング部内部に取り付けられた張力ばねと、
前記主ハウジング部内部に配置されて、ギアの歯の環状に対称な配列を有する、スネアワイヤー巻取りドラムと、
事前形成されたループを画定して、前記細長中空内部に部分的に配置され、前記ループが前記細長中空シャフトの前方端部に配置されて、前記スネアワイヤー巻取りドラムの周りに部分的に巻かれている、スネアワイヤーの折り重なり長と、
前記スネアワイヤー巻取りドラムと連携する、スネアワイヤー引張要素と、
を含む、請求項４〜８のいずれか一項に記載の関節鏡下骨チャネル形成および縫合システム。
【請求項１０】
前記湾曲したシャフト組立体が、
一対の湾曲したシャフト組立体外側要素と、
一対の湾曲したシャフト組立体内側要素と、
前記一対の湾曲したシャフト組立体内側要素の対応する端部を係合して、前記関節鏡下外科装置内部の固定された軸方向位置に保持されて、前記湾曲したシャフト組立体の前記関節鏡下外科装置に対する位置の軸方向調節機能を提供する、湾曲したシャフト組立体配置リングと、
を含む、請求項４〜９のいずれか一項に記載の関節鏡下骨チャネル形成および縫合システム。
【請求項１１】
前記湾曲した骨穿刺針が、
わずかに丸みを帯びた後端面から先細の先端まで延出する半径方向に内向きの湾曲した縁面と、
後端面における丸くない角から上端突起部まで、およびそれを越えて、前方半径方向に外向きに湾曲した表面部がそこから延出するショルダーまで、延在する後方半径方向に外向きに湾曲した表面部と、
各々が先細の先端側面を含む一対の湾曲した側面と、
を有するように形成される、請求項４〜１０のいずれか一項に記載の関節鏡下骨チャネル形成および縫合システム。
【請求項１２】
前記関節鏡下外科装置が、
第１のハウジング部と、
第２のハウジング部と、
前記第１のハウジング部および前記第２のハウジング部によって囲まれた関節鏡下外科用機構と、
駆動方向操作レバーと、
前記第１のハウジング部および前記第２のハウジング部を一緒に、前記湾曲したシャフト組立体の上にそれと係合して保持するために機能する、保持コーンと、
を含む、請求項４〜１１のいずれか一項に記載の関節鏡下骨チャネル形成および縫合システム。
【請求項１３】
前記駆動方向操作レバーが、後方および前方に傾いた作動配向を有する、請求項１２に記載の関節鏡下骨チャネル形成および縫合システム。
【請求項１４】
前記関節鏡下外科用機構が、前記作業チャネル組立体を引っ込めるために機能する、以下の要素：
前記作業チャネル組立体の線形ラチェットギアトラック形成部を、結果として係合する、多数のギアの歯の各々上のラチェットギア画定駆動面と、
一体的に形成されて、その第１の端部上に前記ラチェットギアが取り付けられる円筒状車軸を含む、車軸に取り付けられたギアと、
コイルおよび一対のばね端部アームを有する回転付勢ばねと、
前記作業チャネル組立体を前記関節鏡下外科装置に関して選択的にロックおよび解放する、作業チャネル組立体保持フック要素と、
を含む、請求項１２または請求項１３に記載の関節鏡下骨チャネル形成および縫合システム。
【請求項１５】
前記関節鏡下外科用機構が、
カートリッジ組立体保持要素と、
保持アームを画定するカートリッジ組立体保持ばねと、
手動作動可能駆動エンジン組立体と、
も含む、請求項１４に記載の関節鏡下骨チャネル形成および縫合システム。
【請求項１６】
前記手動作動可能駆動エンジン組立体が、以下の要素：
主シャーシ、
補助シャーシ、
カートリッジプッシャ、
カートリッジプッシャコネクタ、
手動係合可能駆動ハンドル、
主駆動方向切換え要素、
シフト可能要素、
駆動方向操作レバー応答トグル要素、
方向切換えばね、
後方駆動ギアラック、
前方駆動ギアラック、
クラッチ、
主駆動ギア、
針駆動ラチェットアーム、
前方駆動ギア、
作業チャネル引込みラチェットアーム、
旋回可能アーム、および
シフト可能リンク
のうちの少なくとも５つを含む、請求項１５に記載の関節鏡下骨チャネル形成および縫合システム。
【請求項１７】
前記手動作動可能駆動エンジン組立体が、以下の要素：
駆動ハンドルばね、
主駆動方向切換え要素ばね、
ハンドル旋回車軸、
駆動ピン、および
ラチェットアーム付勢ばね
のうちの少なくとも１つを含む、請求項１６に記載の関節鏡下骨チャネル形成および縫合システム。
【請求項１８】
前記カートリッジ組立体保持要素の係合を解除すると、前記スネアワイヤーカートリッジ組立体が前記作業チャネル組立体から即時に部分的に軸方向に引っ込められる、請求項１４に記載の関節鏡下骨チャネル形成および縫合システム。
【請求項１９】
前記連携多機能駆動組立体が、主駆動軸を画定し、前記主駆動軸に関して１２０〜１４０度の角度になっている、手動係合可能駆動ハンドル部を含む、請求項１〜１８のいずれか一項に記載の関節鏡下骨チャネル形成および縫合システム。
【請求項２０】
前記連携多機能駆動組立体が、主駆動軸を画定し、前記主駆動軸に関して１３２．５度の角度になっている、手動係合可能駆動ハンドル部を含む、請求項１〜１９のいずれか一項に記載の関節鏡下骨チャネル形成および縫合システム。